(57)【要約】【課題】出力を低下させることなく小型化可能な電源装置および電源装置の駆動方法を提供する。【解決手段】外部電子機器２００を接続可能な出力端子と、出力端子を介して外部電子機器２００に電力を供給する二次電池１０６と、二次電池１０６を充電するとともに、外部電子機器２００に電力を供給する燃料電池１０２と、二次電池１０６の充電容量が第１の値C-high以上であれば、燃料電池１０２および二次電池１０６の少なくとも一方からの電力を外部電子機器２００に供給し、二次電池１０６の充電容量が第２の値C-low以下となれば、外部電子機器２００への電力供給を停止する制御手段１０４を備える電源装置１００。【選択図】図１
2011015547.tif 000002
【特許請求の範囲】
【請求項１】
外部電子機器を接続可能な出力端子と、
前記出力端子を介して前記外部電子機器に電力を供給する二次電池と、
前記二次電池を充電するとともに、前記外部電子機器に電力を供給する燃料電池と、
前記二次電池の充電容量が第１の値以上であれば、前記燃料電池および前記二次電池の少なくとも一方からの電力を前記外部電子機器に供給し、前記二次電池の充電容量が第２の値以下となれば、前記外部電子機器への電力供給を停止する制御手段を備える電源装置。
【請求項２】
前記外部電子機器の負荷が前記燃料電池の発電電力よりも大きいか否か判別する判別手段を更に具備し、
前記制御手段は、前記判別手段で前記外部電子機器の負荷が前記燃料電池の発電電力よりも大きいと判別された場合に、前記燃料電池と前記二次電池とから前記外部電子機器に電力を供給することを特徴とする請求項１記載の電源装置。
【請求項３】
前記制御手段は、前記判別手段で前記外部電子機器の負荷が前記燃料電池の発電電力よりも小さいと判別された場合に、前記燃料電池から前記外部電子機器と前記二次電池とに電力を供給することを特徴とする請求項２記載の電源装置。
【請求項４】
前記制御手段は、前記判別手段で前記外部電子機器の負荷が前記燃料電池の発電電力よりも小さいと判別された場合に、前記燃料電池から前記外部電子機器に電力供給する際に余剰する電力を前記二次電池に供給することを特徴とする請求項３記載の電源装置。
【請求項５】
前記出力端子と、前記燃料電池および前記二次電池と、の間に配置されたスイッチを具備し、
前記制御手段は、前記スイッチを開閉することにより、前記燃料電池の電力供給を制御するように構成されたことを特徴とする請求項１乃至請求項４のいずれか１項記載の電源装置。
【請求項６】
前記二次電池の充電容量を確認する確認手段を更に具備し、
前記制御手段は、前記確認手段で前記二次電池の充電容量が前記第１の値以上であると確認させた場合、前記燃料電池および前記二次電池の少なくとも一方から前記外部電子機器に電力供給を開始し、前記確認手段で前記二次電池の充電容量が前記第２の値以下であると確認させた場合、前記外部電子機器への電力供給を停止するように構成されたことを特徴とする請求項１乃至請求項５のいずれか１項記載の電源装置。
【請求項７】
前記制御手段は、前記確認手段で前記二次電池の充電容量が前記第１の値以上であると確認させた場合、前記スイッチを閉じて前記燃料電池および前記二次電池のうち、少なくとも一方からの電力を前記外部電子機器に供給し、前記確認手段で前記二次電池の充電容量が前記第２の値以下であると確認させた場合、前記スイッチを開いて前記外部電子機器への電力供給を停止するように構成されたことを特徴とする請求項５記載の電源装置。
【請求項８】
表示装置と、
前記燃料電池から前記二次電池への充電開始に伴い、前記表示装置を表示させる表示手段と、を更に具備することを特徴とする請求項１乃至請求項６のいずれか１項記載の電源装置。
【請求項９】
前記表示手段は、前記燃料電池の定格電源での運転開始前および定格電源での運転停止後に前記表示装置を表示させることを特徴とする請求項８記載の電源装置。
【請求項１０】
外部電子機器を接続する出力端子と、前記出力端子を介して前記外部電子機器に電力を供給可能な二次電池と、前記二次電池と前記外部電子機器とに電力を供給可能な燃料電池と、前記出力端子と、前記燃料電池および前記二次電池と、の間に配置されたスイッチと、前記二次電池、前記燃料電池、および前記スイッチの動作を制御する制御手段と、を備えた電源装置の駆動方法であって、
前記燃料電池で発電した電力を前記二次電池に充電し、
前記二次電池の充電容量が第１の値以上となったときに、前記スイッチを導通させて前記燃料電池および前記二次電池のうち、何れか少なくとも一方からの電力を前記外部電子機器に供給し、
前記二次電池の充電容量が第２の値以下になったときに、前記スイッチを開いて前記外部電子機器への電力供給を停止する電源装置の駆動方法。
【発明の詳細な説明】
【技術分野】
【０００１】
本発明は電源装置および電源装置の駆動方法に関し、特に、燃料電池と二次電池とを備えた電源装置およびその駆動方法に関する。
【背景技術】
【０００２】
近年、燃料電池、二次電池等の蓄電手段の高電圧、高エネルギー密度の実現が可能となり、携帯型電子機器等の電源として注目されている。燃料電池は、燃料を供給することにより、電力を出力することができる。そのため、屋外での使用が想定される電子機器や、電力の周波数等が異なる国や地域での使用が想定される電子機器の電源として、燃料電池が注目されている。
【０００３】
例えば、直接メタノール燃料電池（DMFC : Direct Methanol Fuel Cell）は、エネルギー密度の高いメタノールを燃料に用い、メタノールから電極触媒上で直接電流を取り出す方式を採用した比較的安全性の高い燃料電池であって、電子機器の電源として搭載することが検討されている。
【０００４】
従来、二次電池あるいは燃料電池によって構成されたバッテリを制御する制御装置であって、バッテリから間欠的に電力を供給することによって、平滑化して給電する制御装置が提案されている（特許文献１参照）。
【先行技術文献】
【特許文献】
【０００５】
【特許文献１】特開２００１−３１４０４３号公報
【発明の概要】
【発明が解決しようとする課題】
【０００６】
しかし、燃料電池を電源として用いる場合には、電子機器の最大消費電を出力可能なサイズの燃料電池が必要となるため、燃料電池を小さくすることが難しく、電子機器を小型化することが困難であった。また、燃料電池の製造に用いられる白金等の材料の使用量が多くなるため、燃料電池の製造コストを低減させることが困難であった。
【０００７】
本発明は、上記事情に鑑みて成されたものであって、出力を低下させることなく小型化可能な電源装置および電源装置の駆動方法を提供することを目的とする。
【課題を解決するための手段】
【０００８】
本発明の第１態様による電源装置は、外部電子機器を接続可能な出力端子と、前記出力端子を介して前記外部電子機器に電力を供給する二次電池と、前記二次電池を充電するとともに、前記外部電子機器に電力を供給する燃料電池と、前記二次電池の充電電力が第１の値以上であれば、前記燃料電池および前記二次電池の少なくとも一方からの電力を前記外部電子機器に供給し、前記二次電池の充電電力が第２の値以下となれば、前記外部電子機器への電力供給を停止する制御手段を備える電源装置である。
【０００９】
本発明の第２態様による電源装置の駆動方法は、外部電子機器を接続する出力端子と、前記出力端子を介して前記外部電子機器に電力を供給可能な二次電池と、前記二次電池と前記外部電子機器とに電力を供給可能な燃料電池と、前記出力端子と、前記燃料電池および前記二次電池と、の間に配置されたスイッチと、前記二次電池、前記燃料電池、および前記スイッチの動作を制御する制御手段と、を備えた電源装置の駆動方法であって、前記燃料電池で発電した電力を前記二次電池に充電し、前記二次電池の充電容量が第１の値以上となったときに、前記スイッチを導通させて前記燃料電池および前記二次電池のうち、何れか少なくとも一方からの電力を前記外部電子機器に供給し、前記二次電池の残容量が第２の値以下になったときに、前記スイッチを開いて前記外部電子機器への電力供給を停止する電源装置の駆動方法である。
【発明の効果】
【００１０】
本発明によれば、出力を低下させることなく小型化可能な電源装置および電源装置の駆動方法を提供することを目的とする。
【図面の簡単な説明】
【００１１】
【図１】本発明の一実施形態に係る電源装置と、その電源装置から電力供給される電子機器との一構成例を説明するための図である。
【図２】図１に示す電源装置の一構成例を説明するための図である。
【図３】図１に示す電源装置の動作の一例を説明するための図である。
【発明を実施するための形態】
【００１２】
以下、本発明の一実施形態に係る電源装置について、図面を参照して説明する。本実施形態に係る電源装置は、二次電池と、外部電子機器を接続可能な出力端子（図示せず）と、二次電池と外部電子機器とに電力を供給する燃料電池と、出力端子と、燃料電池および二次電池と、の間に配置されたスイッチ手段と、二次電池、燃料電池、およびスイッチ手段の動作を制御する制御手段と、を備えている。
【００１３】
制御手段は、燃料電池で発電した電力を二次電池に充電し、二次電池に所定の電力が充電された時点で、スイッチ手段を導通させて燃料電池および／または二次電池から外部電子機器に電力を供給し、二次電池の残容量が一定量以下になった時に、スイッチ手段を開いて外部電子機器への電力供給を停止する充電専用回路を備えている。
【００１４】
図１に示すように、本実施形態に係る電源装置１００は、例えばパーソナルコンピュータ（ＰＣ）等の外部電子機器に電源電力を供給する電源装置である。図１および図２に示すように、電源装置１００は、燃料電池１０２と、充電専用回路１０４と、二次電池１０６と、燃料電池１０２、充電専用回路１０４および二次電池１０６を収容する外部筐体１１０を、を備えている。
【００１５】
燃料電池１０２は、燃料極（図示せず）と空気極（図示せず）と燃料極と空気極との間に挟持された電解質膜（図示せず）とを備えている。本実施形態に係る電源装置１００の燃料電池１０２は、例えば直接メタノール方式の燃料電池（ＤＭＦＣ）を含み、燃料電池１０２の近傍には、メタノール燃料を収納するための燃料カートリッジ１０２Ｔが配置されている。
【００１６】
燃料カートリッジ１０２Ｔから排出されたメタノール燃料は、例えばポンプ等の送液手段によって燃料電池１０２の燃料極に供給される、あるいは、燃料電池１０２内の燃料収容部を介して燃料極に供給される。
【００１７】
燃料電池１０２から出力された電力は、二次電池１０６、および／または、スイッチ手段１０８を介して外部電子機器の二次電池モジュール２００に供給可能である。燃料電池１０２の出力端子と充電専用回路１０４の入力端子との間には、ダイオードＤ１が配置されている。燃料電池１０２の出力端子とスイッチ手段１０８との間にはダイオードＤ２が配置されている。ダイオードＤ１およびダイオードＤ２によって、燃料電池１０２から出力された電力が整流される。
【００１８】
二次電池１０６は、例えばリチウムイオン電池やニッケル水素電池等の二次電池であって、二次電池１０６には充電専用回路１０４を介して燃料電池１０２から出力された電力が供給されるとともに、スイッチ手段１０８を介して二次電池モジュール２００へ給電を行なう。二次電池１０６は、１つの二次電池セル（図示せず）を備えていてもよく、直列あるいは並列に接続された複数の二次電池セル（図示せず）を備えていてもよい。
【００１９】
充電専用回路１０４は、燃料電池１０２、二次電池１０６、およびスイッチ手段１０８の動作を制御する。充電専用回路１０４は、スイッチ手段１０８の動作を制御して、電源装置１００から二次電池モジュール２００への電力出力をオン／オフする。
【００２０】
充電専用回路１０４は、燃料電池１０２で発電した電力を二次電池１０６に供給して二次電池１０６を充電し、二次電池１０６が所定の容量C-high（第１の値）まで充電された時点で、スイッチ手段１０８を導通させて（閉じて）燃料電池１０２と二次電池１０６とから二次電池モジュール２００に電力を供給（給電）するように構成されている。
【００２１】
充電専用回路１０４は、電源装置１００から二次電池モジュール２００へ給電中に、二次電池１０６の残容量が一定量C-low（第２の値）以下になった時に、スイッチ手段１０８を開いて、二次電池モジュール２００への電力供給（給電）を停止するように構成されている。
【００２２】
さらに、充電専用回路１０４は、燃料電池１０２から二次電池モジュール２００へ給電するとともに、余剰の電力を二次電池１０６に供給して二次電池１０６を充電することが可能に構成されている。したがって、燃料電池１０２から出力される電力が、二次電池モジュール２００で使用される電力よりも大きい場合には、二次電池モジュール２００への給電と二次電池１０６の充電とを併せて行なうことができる。
【００２３】
外部筐体１１０は、外部電源から二次電池１０６に電力を供給するための充電ポート１１０Ａと、外部電子機器に電力を供給するための出力電源ケーブル用コネクタ１１０Ｂ、電源装置１００の状態をモニタしたり、外部情報機器により燃料電池１０２の状態を省電力制御したりするための情報機器通信ポート１１０Ｃ、例えば携帯電話等の５Ｖ充電が必要な情報機器用の外部充電用ポート１１０Ｄ、および、燃料電池１０２から排出されたガスを排出する排気口１１０Ｗを備えている。また、外部筐体１１０には、電源装置１００を起動あるいは停止させるための電源スイッチＳＷが設けられている。
【００２４】
例えば、二次電池１０６の充電量が所定値以下あるいはゼロの場合には、電源装置１００を起動することができない。このときには、充電ポート１１０Ａから外部電源が接続され、外部電源から二次電池１０６に電力が供給される。
【００２５】
また、外部筐体１１０には、電源装置１００の状態をユーザに通知するための表示装置が設けられている。本実施形態では、電源装置１００は表示装置として複数のＬＥＤ（Light Emitting Diode）１００Ｌを備えている。また、電源装置１００は、表示装置に電源装置１００の状態を表示させる表示手段をさらに備えている。本実施形態では、充電専用回路１０４は、複数のＬＥＤ１００Ｌの動作を制御して、電源装置１００の状態に応じて点灯あるいは消灯させる表示手段を備えている。
【００２６】
複数のＬＥＤ１００Ｌは、例えば複数色のＬＥＤを含み、充電専用回路１０４は電源装置１００の状態に対応して各色のＬＥＤ１００Ｌを点灯させたり、所定のタイミングで点滅させたりして、ユーザに電源装置１００の状態をユーザに通知する。
【００２７】
二次電池モジュール２００は、二次電池２０５と、充電専用回路２０４と、充電専用回路２０４と電源装置１００からの電力入力端子との間に配置されたスイッチ手段２０２と、二次電池２０５と外部電子機器の駆動手段（図示せず）との間に配置されたスイッチ手段２０６とを備えている。充電専用回路２０４は、二次電池２０５と、スイッチ手段２０２と、スイッチ手段２０６との動作を制御する。スイッチ手段２０２の前段には、ダイオードＤ４が配置されている。スイッチ手段２０２およびスイッチ手段２０６には、ダイオードがバイアス接続されている。
【００２８】
電源装置１００から供給された電力は、スイッチ手段２０２および充電専用回路２０４を介して二次電池２０５に供給される、あるいは、スイッチ手段２０２を介して外部電子機器の駆動手段に供給される。
【００２９】
次に、本実施形態に係る電源装置１００の動作の一例について図面を参照して説明する。本実施形態に係る電源装置１００では、燃料電池１０２で発電した電力を二次電池１０６に充電し、二次電池１０６に所定の電力が充電された時点で、スイッチ手段１０８を導通させて燃料電池１０２と二次電池１０６とからパーソナルコンピュータ等の外部電子機器に電力を供給し、二次電池１０６の残容量が一定量以下になった時に、スイッチ手段１０８を開いて外部電子機器への電力供給を停止する。
【００３０】
すなわち、図３に示すように、ユーザが電源スイッチＳＷを操作することによって、電源装置１００が起動され、スタンバイ（standby）状態となる。なお、スタンバイ状態とは、燃料電池１０２の定格電源での運転開始前および定格電源での運転停止後の、ウオーミング状態である。
【００３１】
スタンバイ状態が解除されると、充電専用回路１０４は、燃料電池１０２での発電電力により、二次電池１０６の充電を開始する。このとき、パーソナルコンピュータは、二次電池モジュール２００の二次電池２０５に蓄積された電力により駆動されている。
【００３２】
二次電池１０６の充電容量が所定値C-high（第１の値）に到達すると、充電専用回路１０４はスイッチ手段１０８を導通させ、燃料電池１０２および二次電池１０６から二次電池モジュール２００へ給電を開始する。ここで、充電専用回路１０４は、二次電池１０６の電圧値および電流値を測定して、二次電池１０６の充電容量を検出する。
【００３３】
電源装置１００は、二次電池１０６の充電容量を確認する確認手段（図示せず）を更に具備している。充電専用回路１０４は、確認手段に二次電池１０６の充電容量を確認させて、確認された結果を取得する。
【００３４】
このとき、パーソナルコンピュータ等の外部電子機器は電源装置１００から供給される電力により駆動されている。外部電子機器（ＰＣ）での負荷が、燃料電池１０２での発電電力よりも大きい場合、充電専用回路１０４は、二次電池１０６の放電電力と燃料電池１０２での発電電力との両方で給電させる。
【００３５】
外部電子機器（ＰＣ）での負荷が、燃料電池１０２での発電電力よりも小さい場合、充電専用回路１０４は、外部電子機器（ＰＣ）で使用される電力のみを給電し、燃料電池１０２における発電電力のうちで二次電池モジュール２００に供給されない余剰の電力によって二次電池１０６を充電する。
【００３６】
すなわち、充電専用回路１０４は、外部電子機器（ＰＣ）の負荷が燃料電池１０２における発電電力よりも大きいか否かを判別する判別手段（図示せず）と、この判別手段によって外部電子機器（ＰＣ）の負荷が燃料電池１０２における発電電力よりも大きいと判別された場合に、燃料電池１０２と二次電池１０６とから外部電子機器へ電力を供給する手段と、判別手段によって外部電子機器（ＰＣ）の負荷が燃料電池１０２における発電電力よりも小さいと判別された場合に、燃料電池１０２における発電電力の一部（余剰分）により二次電池１０６を充電させる手段と、を備えている。
【００３７】
なお、外部電子機器（ＰＣ）の負荷の大きさについて、予め充電専用回路１０４内で設定されていてもよい。その場合には、電源装置１００は、電源装置１００および／または外部電子機器（ＰＣ）の運転状況に応じて外部電子機器（ＰＣ）の負荷の大きさを判別し、外部電子機器（ＰＣ）の負荷に対応した給電方法に切り替える。
【００３８】
また、電源装置１００から二次電池モジュール２００への給電時に、供給された電力全てが外部電子機器（ＰＣ）で用いられない場合、充電専用回路２０４は、余剰の電力により二次電池２０５を充電することもできる。また、外部電子機器（ＰＣ）の駆動電力が外部電源（図示せず）から供給されている場合には、充電専用回路２０４は、電源装置１００からの給電電力を二次電池２０５にのみ供給して二次電池２０５を充電することもできる。
【００３９】
二次電池１０６の残容量が所定値C-low（第２の値）以下となると、充電専用回路１０４は、スイッチ手段１０８を開いて二次電池モジュール２００への給電を停止するとともに、二次電池１０６の充電を開始する。このとき、外部電子機器（ＰＣ）の駆動部には、二次電池２０５から電力が供給される。
【００４０】
充電専用回路１０４は、上記のように、二次電池モジュール２００への給電と、二次電池１０６の充電とを繰り返す。ユーザが電源スイッチＳＷを操作することにより、電源装置１００の動作が停止されると、電源装置１００はスタンバイ状態となった後に動作が停止される。
【００４１】
充電専用回路１０４は、電源装置１００の上記状態に応じて、ＬＥＤ１００Ｌを点灯あるいは消灯させて、ユーザに電源装置１００の状態（スタンバイ状態、充電状態、給電状態等）を知らせる。なお、充電状態とは、燃料電池１０２における発電電力によって二次電池１０６を充電している状態であって、給電状態とは、燃料電池１０２における発電電力を外部電子機器へ給電している状態である。
【００４２】
例えば、パーソナルコンピュータ等の高負荷の電子機器では、電子機器内に容量の大きい二次電池を内蔵しているため、その二次電池の充電のために略３０Ｗ程度の定格電源が必要である。低消費型の電子機器であれば、平均略１０Ｗ程度の電力で駆動が可能であるが、低消費型の電子機器にも二次電池が内蔵されているため、略３０Ｗ程度の定格電源が必要となる。
【００４３】
ここで、例えば電源装置１００が二次電池１０６を備えず、燃料電池１０２における発電電力のみによって給電する場合、燃料電池の方式の中で例えばＤＭＦＣ方式はメタノールを燃料として使用する比較低安全性が高い方式であるが、発電効率が略３５％以下であるため、パーソナルコンピュータ等の外部電子機器の定格に合わせて燃料電池１０２を構成すると、燃料電池１０２の発電部が大きくなってしまうことがある。したがって、電源装置１００全体も大きくなってしまう。
【００４４】
また、燃料電池１０２において発電された電力のうち、電力として取り出されないエネルギーは、熱エネルギーとして外部筐体１１０表面や排気の形で外部へ放熱される。
【００４５】
例えば、燃料電池１０２における発電電力だけでパーソナルコンピュータ等の外部電子機器の定格電力３０Ｗの電力を供給するためは、略７０Ｗ乃至略８０Ｗの放熱をするための、大きな放熱フィンを内蔵させる必要がある。したがって、電源装置１００全体も大きくなってしまう。
【００４６】
これに対し、本実施形態に係る電源装置１００のように燃料電池１０２だけでなく二次電池１０６も備える場合には、二次電池１０６を燃料電池１０２における発電電力を蓄積するバッファとして利用することができる。
【００４７】
すなわち、略１０Ｗ程度の発電が可能な燃料電池１０２と、略２０Ｗ程度の放電能力がある二次電池１０６とを内蔵した電源装置１００において、図３に示すように間欠給電を行なうと、電源装置１００からの給電により定格電力が略３０Ｗの外部電子機器（ＰＣ）を駆動させることが可能である。
【００４８】
本実施形態では燃料電池１０２を小型化することにより、燃料電池１０２における発電電力は小さくなるが、燃料電池１０２における発電電力により二次電池１０６を充電し、燃料電池１０２の発電電力と二次電池１０６の放電電力とを合わせて出力させることにより、パーソナルコンピュータ等の外部電子機器の駆動を可能にしている。
【００４９】
上記のように、二次電池１０６を搭載しない電源装置１００と比較すると、本実施形態に係る電源装置１００では燃料電池発電部体積を大幅に小さくすることができる。さらに、燃料電池１０２における発熱によるエネルギーロスが削減できるので、放熱フィンの体積も大幅に削減ができ、電源装置１００の小型化が容易となる。また、二次電池１０６を搭載しない電源装置１００と比較すると、本実施形態に係る電源装置１００では燃料消費率も大幅に削減することができる。さらに、本実施形態に係る電源装置１００では、燃料電池発電部体積が大幅に小さくなるため、触媒に使用する白金などの貴金属の量を大幅に削減でき製造コスト削減を実現することができる。
【００５０】
また、本実施形態では、外部電子機器が高負荷時の定格電力を、燃料電池１０２での発電電力と、二次電池１０６の放電電力とにより賄うことが可能な小型の電源装置１００を提供することができる。さらに、上記のように燃料電池１０２と二次電池１０６とを備える電源装置１００により間欠給電を行なうことによって、外部電子機器内の二次電池のみで駆動する場合よりも、外部電子機器の駆動時間を大幅に延長することができる。
【００５１】
すなわち、本実施形態に係る電源装置１００および電源装置１００の駆動方法によれば、出力を低下させることなく小型化可能な電源装置および電源装置の駆動方法を提供することができる。
【００５２】
なお、この発明は、上記実施形態そのままに限定されるものではなく、実施段階ではその要旨を逸脱しない範囲で構成要素を変形して具体化できる。上記実施形態では、外部電子機器としてパーソナルコンピュータを例に説明をしたが、外部電子機器は例えば、携帯電話、無線機、ＤＶＤ再生装置、プロジェクター、電子手帳、電子手帳、カーナビゲーションシステム等の、電子機器に適用することができ、特に、二次電池を備えた携帯可能な電子機器を外部電子機器として適用することができる。
【００５３】
また、上記実施形態では、ユーザに電源装置１００の状態を知らせる複数のＬＥＤ１００Ｌを備えていたが、表示装置はＬＥＤ１００Ｌに限定されない。例えば、電源装置１００の外部筐体１１０から露出した液晶表示部、有機ＥＬ表示部等の表示装置に電源装置１００の状態を表示させる表示装置およびその表示装置に電源装置１００の状態を表示させる表示手段を具備していてもよい。
【００５４】
また、上記実施形態では、充電専用回路１０４は、確認手段に二次電池１０６の充電容量を確認させて二次電池１０６の充電容量を検出し、検出された充電容量の値に応じて、電源装置１００を制御していたが、例えば、充電専用回路１０４は二次電池１０６の充電あるいは放電電圧、又は、充電あるいは放電電流を検出して、その検出結果に応じて電源装１００を制御してもよい。
【００５５】
なお、上記実施形態に記載された電源装置１００が具備する様々な手段は、ハードウェアとして構成されてもよくソフトウェアとして構成されていてもよく、さらにハードウェアとソフトウェアとを組み合わせて構成されてもよい。
【００５６】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５７】
１００…電源装置、１０２…燃料電池、１０４…充電専用回路（制御手段）、１０６…二次電池、２００…二次電池モジュール。
【図１】
2011015547.tif 000003
【図２】
2011015547.tif 000004
【図３】
2011015547.tif 000005